(57)【要約】      （修正有）【課題】足先の全体を効率よく短時間のうちに温めることのでき、又足先がずれ落ちる心配のないようにした湯たんぽを提供する。【解決手段】足先３０を温めるのに用いられる湯たんぽにおいて、外表面に布生地が貼着され厚手のクロロプレンゴムシートを用いて製作され、上面部分１１Ａ 、底面部分１１Ｂ及び上面部分と底面部分との間を覆う側面部分１１Ｃ からなる偏平な四角形袋状をなす一方、密閉可能な注湯口が形成された本体１１と、上記本体の上面部分に被せられかつ周縁がかかり縫いによって本体上面部分に縫合され、本体との間に足先が差し込まれることによって足甲部位に本体の熱を伝える薄手のクロロプレンゴムシート製の足先カバー１２と、を備える。【選択図】図２
0003147835.tif 000002
【実用新案登録請求の範囲】
【請求項１】
足先を温めるのに用いられる湯たんぽにおいて、
外表面に布生地が貼着され厚手のクロロプレンゴムシートを用いて製作され、上面部分、底面部分及び上面部分と底面部分との間を覆う側面部分からなる偏平な四角形袋状をなす一方、密閉可能な注湯口が形成された本体と、
上記本体の上面部分に被せられかつ周縁がかがり縫いによって本体上面部分に縫合され、本体との間に足先が差し込まれることによって足甲部位に本体の熱を伝える薄手のクロロプレンゴムシート製の足先カバーと、
を備えたことを特徴とする湯たんぽ。
【請求項２】
上記足先カバーはほぼ四角形状をなし、四角形の底辺を除く３周縁がかがり縫いによって本体に縫合されている請求項１記載の湯たんぽ。
【請求項３】
上記足先カバーはほぼ四角形状をなすとともに、四角形の底辺近くに足先の差込み口が形成され、四角形の４周縁がかがり縫いによって本体に縫合されている請求項１記載の湯たんぽ。
【請求項４】
上記足先カバーはクロロプレンゴムシートの表面に布生地を貼着し裏面に抗菌加工を施したパイル編み生地を貼着して製作されている請求項１ないし３のいずれかに記載の湯たんぽ。
【請求項５】
上記本体は、独立気泡性クロロプレンゴムシートの表面に布生地を貼着したウェットスーツ用素材を用いて製作されている請求項１ないし３のいずれかに記載の湯たんぽ。
【請求項６】
上記本体は、上面部分、底面部分及び両者の間を覆う側面部分の対向する周縁を接着剤で相互に水密的に接着するとともに、かがり縫いによって相互に縫合することによって水密構造に製作されている請求項１ないし３のいずれかに記載の湯たんぽ。
【請求項７】
上記本体の側面部分は、上記本体の後側に対応する部分が前側に対応する部分よりも高くなるように形成されている請求項６記載の湯たんぽ。
【請求項８】
上記本体の側面部分は、上記本体の前側及び後側に対応する部分が肉厚に形成されている請求項７記載の湯たんぽ。
【考案の詳細な説明】
【技術分野】
【０００１】
本考案は軟らかくて使い心地がよく、しかも足元を快適に温めることのできる湯たんぽに関する。
【背景技術】
【０００２】
例えば、冷え性の人は厳冬期になると、足元が非常に冷たく、布団に入ってもなかなか寝つけないことから、湯たんぽを利用することが多い。従来、湯たんぽは金属製のものが主流であったが、足を金属に直接触れさせると低温やけどが懸念されることから、湯たんぽをカバーで覆う必要があり、取り扱いが煩わしいばかりでなく、触れた感触が硬く、違和感を感じやすかった。
【０００３】
これに対し、ゴム又は軟質の合成樹脂材料で偏平な袋状に製作した湯たんぽや円筒状に製作した湯たんぽが提案されている（特許文献１、特許文献２）。
【０００４】
【特許文献１】特開２００３−２４３６３号公報
【特許文献２】実用新案登録第３１２９０７６号公報
【考案の開示】
【考案が解決しようとする課題】
【０００５】
しかし、特許文献１、２記載の湯たんぽでは足先を載せると、足裏や足首の裏側は湯たんぽに接して直ぐに温かくなるが、足甲部位は湯たんぽに接触せず、温かくなるまでに時間がかかっていた。
【０００６】
また、特許文献１記載の湯たんぽでは偏平な袋状に製作しているので、注湯した状態で足先を載せると、湯たんぽが大きく変形し、足先が湯たんぽからずり落ちるおそれがあった。
【０００７】
本考案はかかる問題点に鑑み、足先の全体を効率よく短時間のうちに温めることができ、又足先がずれ落ちる心配のないようにした湯たんぽを提供することを課題とする。
【課題を解決するための手段】
【０００８】
そこで、本考案に係る湯たんぽは、足先を温めるのに用いられる湯たんぽにおいて、外表面に布生地が貼着され厚手のクロロプレンゴムシートを用いて製作され、上面部分、底面部分及び上面部分と底面部分との間を覆う側面部分からなる偏平な四角形袋状をなす一方、密閉可能な注湯口が形成された本体と、上記本体の上面部分に被せられかつ周縁がかがり縫いによって本体上面部分に縫合され、本体との間に足先が差し込まれることによって足甲部位に本体の熱を伝える薄手のクロロプレンゴムシート製の足先カバーと、を備えたことを特徴とする。
【０００９】
本考案の特徴の１つは湯たんぽの本体の上面部分に足先カバーを設け、足首から先の部分（以下、足先という）を足先カバーで覆うようにした点にある。これにより、足甲部分は湯たんぽに接触しないが、湯たんぽの熱が効率よく伝わるので、直ぐに温かくなり、冷え性の人も快適に使用できる。
【００１０】
また、湯たんぽの本体は上面部分、底面部分及び上面部分と底面部分との間を覆う側面部分からなる偏平な四角形袋状に製作され、足先を載せてもその偏平な四角形袋状を維持するので、足先がずり落ち難く、しかも足先カバーによって足先のずり落ちを阻止することができる。
【００１１】
足先カバーは本体の熱を対流などによって足甲部位に伝えることができればよく、例えばクロロプレンゴムシートの表面に布生地を貼着し裏面に抗菌加工を施したパイル編み生地を貼着した素材を用いると、適度な通気性が確保されるので、足先を迅速に温めることができるとともに、長時間経過したときに足先が蒸れることが少なく、快適さを保つことができる。
【００１２】
また、足先カバーの寸法は特に限定されないが、足先カバーの縫合を考慮すると、湯たんぽの本体の上面部分よりも少し小さい寸法とするのが好ましい。例えば、足先カバーはほぼ四角形状とし、四角形の底辺を除く３周縁をかがり縫いによって本体に縫合することができる。また、足先カバーはほぼ四角形状とし、四角形の底辺近くに足先の差込み口を形成し、四角形の４周縁をかがり縫いによって本体に縫合するようにしてもよい。
【００１３】
湯たんぽの本体は、外表面に布生地が貼着された軟質のゴム製又は合成樹脂製のシートを用いて製作されていればよく、例えば独立気泡性クロロプレンゴムの表面に布生地を貼着したウェットスーツ用素材を用いて製作すると、高級感のある湯たんぽを製作することができる。
【００１４】
また、湯たんぽの本体は、上面部分、底面部分及び上面部分と底面部分との間を覆う側面部分からなる偏平な四角形袋状に製作されていればよく、例えば上面部分、底面部分及び両者の間を覆う側面部分の対向する周縁を接着剤で相互に水密的に接着するとともに、かがり縫いによって相互に縫合することによって水密構造に製作されることができる。
【００１５】
また、湯たんぽの本体の側面部分は、上面部分と底面部分の間の全周を覆う帯状に製作し、両外端縁を接着剤で相互に水密的に接着するとともに、かがり縫いによって相互に縫合することによって環状に製作することができる。
【００１６】
さらに、湯たんぽの本体の側面部分は、全長にわたって均等な硬さとしてもよいが、注湯すると、自重によって側面部分が膨らんで丸みを帯びた形状になるので、本体の前側及び後側に対応する部分を肉厚に形成すると、本来の四角形袋状を維持することができる。      
【００１７】
湯たんぽの本体の側面部分は全長にわたって同じ高さとしてもよく、又本体の後側に対応する部分を前側に対応する部分よりも高くなるように形成することもできる。
【考案を実施するための最良の形態】
【００１８】
以下、本考案を図面に示す具体例に基づいて詳細に説明する。図１ないし図６は本考案に係る湯たんぽの好ましい実施形態を示す。図において、湯たんぽ１０は本体１１と足先カバー１２とから構成され、本体１１は厚手の独立気泡性クロロプレンゴムシート１１Ｄの表面に布生地１１Ｅを接着剤で貼着したウェットスーツ用素材を用いて製作され、上面部分１１Ａ、底面部分１１Ｂと側面部分１１Ｃからなる四角形袋状をなしている。
【００１９】
側面部分１１Ｃは本体１１の後側に対応する部分が前側に対応する部分に比して高くなるように形成され、本体１１の両側に対応する部分の上縁は前側に比して後側が高くなるように傾斜されている。また、側面部分１１Ｃは本体１１の後側に対応する部分及び前側に対応する部分は両側に対応する部分に比して厚く形成されている。
【００２０】
本体１１の側面部分１１Ｃは環状に折り曲げられ、対向する外端縁は接着剤で接着されるとともに、縫い糸によってかがり縫いされることにより、縫合部位１１Ｇで相互に縫合されている。
【００２１】
上面部分１１Ａ及び底面部分１１Ｂの外周縁と環状に側面部分１１Ｃの上縁及び下縁は接着剤で相互に接着されるとともに、縫い糸によってかがり縫いされることによって四角形袋状の本体１１が水密構造に製作されている。
【００２２】
また、図６の(a)(b)に示されるように、本体１１の上面部分１１Ａには上部に注湯口部１３の取付け穴１１Ｇが形成され、注湯口部１３のベース１３Ｄの口部１３Ｄには雄ねじが刻設され、ベース１３Ａの口部１３Ｄは取付け穴１１Ｇに下側から挿通され、ベース１３Ａの口部１３Ｄには上側から押え１３Ｂが螺じ込まれて押え１３Ｂとベース１３Ａとの間には上面部分１１Ａが水密的に挟持され、又ベース１３Ａの口部１３Ｄはキャップ１３Ｃを螺合させることによって水密的にシールできるようになっている。
【００２３】
足先カバー１２は薄手のクロロプレンゴムシートの表面に布生地を貼着し裏面に抗菌加工を施したパイル編み生地を貼着した素材を用いて注湯口部１３を避けるように切欠かれた略四角形状に製作され、本体１１の上面部分１１Ａの上側には足先カバー１２が被せられ、図６の(c) に示されるように、足先カバー１２の底辺を除く３周縁を縫い糸１１Ｆを用いて厚み方向の一部のみをかがり縫いすることによって本体１１の上面部分１１Ａに縫合され、足先カバー１２の底辺部分近傍には足先の差込み口１４がスリット状に形成されている。
【００２４】
湯たんぽを利用する場合、キャップ１３Ｃを外して本体１１内に湯を本体１１が８割程度満たされるまで注湯した後、キャップ１３Ｃで口部１１Ｄを密封した後、例えばベッドに横たわった姿勢で足先カバー１２の差込み口１４から足先３０を差し込むと、足裏部位３１は本体１１の上面部分１１Ａに接触して温められる一方、足先カバー１２によって区画された空間内で温められた空気の対流が発生し、足甲部分３２もこの対流熱によって直ぐに温められる。
【００２５】
また、足先カバー１２が抗菌パイル編み生地を用いているので、適度の通気性があり、長時間経過しても足先が蒸れることはなく、快適さが保たれる。
【００２６】
また、本体１１が軟らかいウェットスーツ用素材で製作されているので、足先の感触が軟らかく、快適である。
【００２７】
さらに、本体１１の上面部分１１Ａは後方が高くなるように傾斜され、しかも側面部分１１Ｃは前部及び後部が厚く形成しているので、本体１１の形状が崩れ難く、足裏３１を楽に上面部分１１Ａに載せることができる。
【００２８】
図７ないし図１２は図２の実施形態を示し、図１ないし図６と同一符号は同一又は相当部分を示す。本例では側面部分１１Ｃ’は全長にわたって等しい高さに形成され、又足先カバー１２’は注湯口部１３を避けるように切欠かれた略四角形状に製作され、足先カバー１２’の底辺近傍には足先の差込み口１４’がスリット状に形成されている。
【００２９】
本例の湯たんぽ１０’を用いる場合、例えばユーザが椅子に座り、足先３０を差込み口１４’から内方に差し込むと、図８に示されるように、足裏部位３１を本体１１’の上面部分１１Ａに接触させることができるとともに、足甲部分３２及び踵部分３３は足先カバー１２’で覆うことができるので、ユーザが椅子に座ったままで足先３０の全体を迅速に温めることができ、例えば受験生が厳冬期に受験勉強をするのに最適である。
【図面の簡単な説明】
【００３０】
【図１】本考案に係る湯たんぽの好ましい実施形態を示す斜視図である。
【図２】上記実施形態の使用状態を示す図である。
【図３】上記実施形態を示す平面図である。
【図４】上記実施形態を示す正面図である。
【図５】上記実施形態を示す側面図である。
【図６】上記実施形態の構造を示す図である。
【図７】第２の実施形態を示す斜視図である。
【図８】上記実施形態の使用状態を示す図である。
【図９】上記実施形態を示す平面図である。
【図１０】上記実施形態を示す正面図である。
【図１１】上記実施形態を示す側面図である。
【図１２】上記実施形態の構造を示す図である。
【符号の説明】
【００３１】
１０、１０’      湯たんぽ
１１、１１’      本体
１１Ａ      上面部分
１１Ｂ      底面部分
１１Ｃ、１１Ｃ’        側面部分
１２、１２’    足先カバー
１３        注湯口部
１４、１４’    差込み口
【図１】
0003147835.tif 000003
【図２】
0003147835.tif 000004
【図３】
0003147835.tif 000005
【図４】
0003147835.tif 000006
【図５】
0003147835.tif 000007
【図６】
0003147835.tif 000008
【図７】
0003147835.tif 000009
【図８】
0003147835.tif 000010
【図９】
0003147835.tif 000011
【図１０】
0003147835.tif 000012
【図１１】
0003147835.tif 000013
【図１２】
0003147835.tif 000014